(57)【要約】【課題】複数のチャンネルの放送信号を受信可能で、緊急警報放送を利用者に効果的に通知できる緊急警報放送受信機を提供する。【解決手段】異なるチャンネルの放送信号を受信する複数のチューナと、複数のチューナのそれぞれにおいて緊急警報放送信号が受信されたことを検出可能な緊急警報検出部と、放送信号を再生する再生部と、緊急警報検出部によって緊急警報開始信号の受信が検出されたときに、当該緊急警報放送信号を受信したチューナから出力される緊急警報放送信号を再生部に再生させる制御部と、を備えることにより、複数のチャンネルの放送信号を受信することが可能となり、緊急警報放送を利用者に効果的に通知できる。【選択図】図１
2009188909.tif 000002
【特許請求の範囲】
【請求項１】
異なるチャンネルの放送信号を受信する複数のチューナと、
前記複数のチューナのそれぞれにおいて緊急警報放送信号が受信されたことを検出可能な緊急警報検出部と、
放送信号を再生する再生部と、
前記緊急警報検出部によって緊急警報放送信号の受信が検出されたときに、当該緊急警報放送信号を受信したチューナから出力される緊急警報放送信号を前記再生部に再生させる制御部と、を備えることを特徴とする緊急警報放送受信機。
【請求項２】
前記制御部は、前記緊急警報放送信号の受信が異なるチューナにおいて検出された場合に、予め設定された優先順位の高いチャンネルで送出された緊急警報放送信号を前記再生部に再生させることを特徴とする請求項１に記載の緊急警報放送受信機。
【請求項３】
前記緊急警報放送信号を記録する記録部を備え、
前記制御部は、所定のスイッチ操作を示す入力信号に基づいて、前記記録部に記録されている緊急警報放送信号を前記再生部に再生させることを特徴とする請求項１又は２に記載の緊急警報放送受信機。
【請求項４】
予めメッセージを記録するメッセージ記録部を備え、
前記制御部は、前記緊急警報放送信号の受信が検出された後、所定の時間が経過したときに、前記メッセージ記録部に記録されているメッセージを前記再生部に再生させることを特徴とする請求項１から３のいずれか一項に記載の緊急警報放送受信機。
【発明の詳細な説明】
【技術分野】
【０００１】
本発明は、緊急警報放送受信機に関する。
【背景技術】
【０００２】
従来、ラジオ放送やＴＶ放送を利用して大規模地震や津波に関する緊急警報放送を送出することにより、緊急警報放送対応の受信機を強制的に起動し、緊急警報放送を出力させる緊急警報放送システム（以下、ＥＷＳ：Emergency Warning System）が知られている。このＥＷＳでは、例えば、地震の警戒宣言、津波警報、都道府県知事又は市町村長からの要請により緊急警報が放送される。以下、ＥＷＳに用いられる放送受信機をＥＷＳ対応受信機と称する。
【０００３】
ＥＷＳ対応受信機は、常時は再生部（例えば、音声出力部）が動作しない待機状態とされ、待機状態において緊急警報放送信号を検出するための回路を作動させている。そして、緊急警報放送信号を検出した際に、直ちに再生部の動作を有効とし、緊急警報放送信号で提供された警報内容を報知する。
【０００４】
図７は、ＦＭ放送機によって発信される放送信号（ＥＷＳを含む）を、従来のＥＷＳ対応受信機が受信する様子について示した説明図である。
ＥＷＳ対応受信機２００は、ＦＭ放送機３００、３０１により発信される放送信号のうち、予め受信チャンネルとして設定されたチャンネルで送出された放送信号のみを受信する。例えば、ＥＷＳ対応受信機２００の受信チャンネルがチャンネルＡに設定されていれば、チャンネルＡで送出されるＦＭ放送機３００からの放送信号のみが受信される。
【０００５】
このように、従来技術に係るＥＷＳ対応受信機２００は、設定されているチャンネルで送られてくる放送信号に関しては受信できるが、それ以外のチャンネルで送られてくる放送信号に関しては受信することができない。
つまり、設定されているチャンネルから緊急警報放送信号が送信された場合にのみ、緊急警報放送を行うことが可能となる。
【０００６】
１チャンネルのみの受信に対応したＥＷＳ対応受信機に有効な技術として、例えば、特許文献１に記載の技術が提案されている。
また、緊急警報放送以外にも、コミュニティラジオを利用した緊急放送が行われている（例えば、特許文献２）。
【特許文献１】特開昭５８−１５７２２７号公報
【特許文献２】実用新案登録第３１１８１８８号公報
【発明の開示】
【発明が解決しようとする課題】
【０００７】
上述したように、従来の緊急警報放送受信機は、通常１チャンネルのみの受信に対応しているため、例えば、ＮＨＫのラジオ放送により緊急警報放送が行われる場合、受信チャンネルをＮＨＫのラジオ放送のチャンネルに設定しておかなければ、緊急警報放送に対応した動作が行われない。従って、緊急警報放送受信機は、実質的に使用チャンネルが固定された専用受信機になっていた。
【０００８】
上記のように実質的に使用チャンネルが固定されている場合、当該チャンネルで放送を行う放送局が災害、故障、又は輻輳等の妨害によって放送を行うことができないときに、緊急警報放送が受信できなくなる可能性があり、冗長性が低かった。
また、コミュニティラジオによる緊急放送を受信可能な緊急警報放送受信機の場合は、ＤＴＭＦ信号を使って強制的に受信機を起動・停止させることができるが、各コミュニティラジオ放送局が使うＤＴＭＦ信号の設定の周知や、ＤＴＭＦ信号対応受信機にコストが掛かるという問題があった。
【０００９】
また、従来の緊急警報放送受信機には緊急警報放送を保存する手段がないため、緊急警報放送受信時に、その場に利用者がいないと緊急警報放送があったことを知ることができず、また、緊急警報放送の内容をもう一度確認したくても再確認できないという問題があった。
【００１０】
本発明は、上述した事情を考慮して提案されたもので、複数のチャンネルの放送信号を受信可能で、緊急警報放送を利用者に効果的に通知できる緊急警報放送受信機を提供することを目的とする。
【課題を解決するための手段】
【００１１】
請求項１に記載の発明は、上記目的を達成するためになされたものであり、緊急警報放送受信機において、異なるチャンネルの放送信号を受信する複数のチューナと、前記複数のチューナのそれぞれにおいて緊急警報放送信号が受信されたことを検出可能な緊急警報検出部と、放送信号を再生する再生部と、前記緊急警報検出部によって緊急警報放送信号の受信が検出されたときに、当該緊急警報開始信号を受信したチューナから出力される緊急警報放送信号を前記再生部に再生させる制御部と、を備えることを特徴とする。
【００１２】
請求項２に記載の発明は、請求項１に記載の緊急警報放送受信機において、前記制御部は、前記緊急警報放送信号の受信が異なるチューナにおいて検出された場合に、予め設定された優先順位の高いチャンネルで送出された緊急警報放送信号を前記再生部に再生させることを特徴とする。
【００１３】
請求項３に記載の発明は、請求項１又は２に記載の緊急警報放送受信機において、前記緊急警報放送信号を記録する記録部を備え、前記制御部は、所定のスイッチ操作を示す入力信号に基づいて、前記記録部に記録されている緊急警報放送信号を前記再生部に再生させることを特徴とする。
【００１４】
請求項４に記載の発明は、請求項１から３のいずれか一項に記載の緊急警報放送受信機において、予めメッセージを記録するメッセージ記録部を備え、前記制御部は、前記緊急警報放送信号の受信が検出された後、所定の時間が経過したときに、前記メッセージ記録部に記録されているメッセージを前記再生部に再生させることを特徴とする。
【発明の効果】
【００１５】
本発明によれば、複数のチャンネルの放送信号を受信可能で、緊急警報放送を利用者に効果的に通知できる緊急警報放送受信機が提供される。
【発明を実施するための最良の形態】
【００１６】
以下、本発明の実施の形態を図面に基づいて説明する。
図１は、本発明の緊急警報放送受信機を適用したＥＷＳ対応受信機１００の概略構成を示すブロック図である。
図１に示すように、本実施形態に係るＥＷＳ対応受信機１００は、アンテナ１と、通常用チューナ２、ＥＷＳ用チューナ３ａ，３ｂ，３ｃと、緊急警報検出部４ａ，４ｂ，４ｃと、チャンネル切り替え器５と、ＭＰＵ（Micro Processing Unit）６と、スピーカ用アンプ７と、スピーカ８と、録音／再生回路９と、マイク１０と、マイク用アンプ１１と、緊急警報放送受信ＬＥＤ１２ａ，１２ｂ，１２ｃと、ライトＬＥＤ１３と、を備えて構成されるラジオ放送受信機である。また、利用者が操作可能なスイッチとして、待機スイッチＳＷ１、了解スイッチＳＷ２、ライトＳＷ３、録音ＳＷ４、再生ＳＷ５、救助要請ＳＷ６、を備える。
【００１７】
通常用チューナ２、及びＥＷＳ用チューナ３ａ，３ｂ，３ｃは、アンテナ１を介して高周波の放送波信号のうち特定周波数帯の信号（設定されたチャンネルに対応する信号）を受信し、低周波信号に復調する。復調された低周波信号は、チャンネル切り替え器５に出力される。
また、ＥＷＳ用チューナ３ａ，３ｂ，３ｃで復調された低周波信号は、それぞれのチューナに接続されている緊急警報検出部４ａ，４ｂ，４ｃに出力される。
【００１８】
緊急警報検出部４ａ，４ｂ，４ｃは、例えば、ＦＳＫ（Frequency Shift Keying）デコーダで構成され、ＥＷＳ用チューナ３ａ，３ｂ，３ｃから出力された低周波信号に、特定の信号（例えば、緊急警報放送の開始を示す緊急警報開始信号）が含まれるか否かを検出する。緊急警報検出部４ａ，４ｂ，４ｃは、例えば、１０２４Ｈｚの音声信号を“１”、６４０Ｈｚの音声信号を“０”に変換することで、緊急警報開始信号が含まれているか否かを検出できる。そして、緊急警報開始信号の有無により、緊急警報放送信号が受信されるか否かが検出されることとなる。
【００１９】
なお、緊急警報開始信号には、緊急警報放送の種別（例えば、第１種緊急警報放送、第２種緊急警報放送、試験放送等）を区別するための情報が含まれている（第１種開始信号、第２種開始信号）。ここで、第１種緊急警報放送は大規模地震や知事の要請等により提供される放送信号、第２種緊急警報放送は津波警報発令時等に提供される放送信号、試験信号は緊急警報放送の受信状態を確認するための放送信号である。
【００２０】
チャンネル切り替え器５は、ＭＰＵ６からの制御信号に基づいて、通常用チューナ２又はＥＷＳ用チューナ３ａ，３ｂ，３ｃから出力された放送信号のうち、何れをスピーカ用アンプ７に出力して再生するか選択する。
通常時は通常用チューナ２が選択され、通常用チューナ２からの放送信号（音声信号）がスピーカ用アンプ７に出力され、再生される。一方、緊急時（ＭＰＵ６が緊急警報開始信号を検出した場合）は、緊急警報開始信号を受信したＥＷＳ用チューナ３（３ａ，３ｂ，３ｃの何れか）が選択され、当該緊急用チューナ３からの放送信号（緊急警報放送信号）がスピーカ用アンプ７に出力され、再生される。
【００２１】
ＭＰＵ６は、ＣＰＵ（Central Processing Unit）をＣＭＯＳ（Complementary Metal Oxide Semiconductor）等でＬＳＩ（Large Scale Integration）化したものである。ＭＰＵ６は、図示しないＲＯＭ（Read Only Memory）に記憶されているシステムプログラム及び各種アプリケーションプログラムの中から指定されたプログラムを、図示しないＲＡＭ（Random Access Memory）に展開し、ＲＡＭに展開されたプログラムとの協働で、各種処理を実行する。
【００２２】
ＭＰＵ６では、緊急警報検出部４ａ，４ｂ，４ｃによる緊急警報開始信号の検出結果が常時監視される。そして、ＭＰＵ６で、緊急警報検出部４ａ，４ｂ，４ｃの何れかによって緊急警報開始信号が検出されたと判別された場合、当該信号に基づく緊急警報放送の種別に応じて動作が行われる。例えば、当該緊急警報放送信号を受信したチューナから出力される緊急警報放送信号が再生される。なお、緊急警報放送信号受信時の各種動作については後述する。
【００２３】
スピーカ用アンプ７は、チャンネル切り替え器５から出力された音声信号を増幅する。
スピーカ８は、スピーカ用アンプ７から出力された音声信号に基づく音声を出力する。
ここで、スピーカ用アンプ７における音声信号の増幅率は、通常ボリューム８３又は緊急用ボリューム８４の何れかに従う。ＭＰＵ６からの制御信号に基づいて、ボリューム切り替え制御部８２が、通常ボリューム８３又は緊急用ボリューム８４の何れかを選択することとなる。例えば、緊急警報放送をスピーカ８から流す場合は、通常ボリューム８３から、大音量が設定された緊急用ボリューム８４に自動的に切り替えられる。
なお、利用者により通常放送の視聴（通常用チューナ２による放送信号の受信）が行われていない場合は、待機スイッチＳＷ１がオンとされ待機状態となる。待機状態では、スピーカ制御部８１により、チャンネル切り替え器５からスピーカ用アンプ７への音声信号の出力がカットされる。
【００２４】
録音／再生回路９は、緊急警報放送受信時にＭＰＵ６からの制御信号（録音信号）に基づいて、チャンネル切り替え器５から出力される放送信号（緊急警報放送信号）を記録する。記録された放送信号は、利用者によって再生スイッチＳＷ５がオンされることにより再生される。
なお、記録された緊急警報放送信号の再生時には、ボリューム切り替え制御部８２によるボリュームの自動切り替えは行われない。利用者のスイッチ操作に基づく再生であり、利用者がＥＷＳ対応受信機１００の近傍にいることは明らかなためである。
【００２５】
また、録音／再生回路９は、利用者によってマイク１０及びマイク用アンプ１１を介して入力されたメッセージ（音声信号）を記録する。例えば、利用者は、録音スイッチＳＷ４をオンし、録音スイッチＳＷ４がオンにされている間に救助要請等のメッセージを発することで、録音／再生回路９に所定のメッセージを予め録音する。そして、例えば、救助要請スイッチＳＷ６がオンにされた状態で緊急警報放送（第１種緊急警報放送又は第２種緊急警報放送）が受信された場合に、録音しておいたメッセージが再生される。この救助要請メッセージは、例えば、ＳＷ６がオフにされるまで繰り返し再生される。
【００２６】
緊急警報放送受信ＬＥＤ１２は、試験放送ＬＥＤ１２ａと、第１種緊急警報ＬＥＤ１２ｂと、第２種緊急警報ＬＥＤ１２ｃと、で構成され、緊急警報放送信号が受信されたときに、緊急警報放送の信号種別に合わせて点灯する。
ライトＬＥＤ１３は、緊急警報放送信号受信時、又は利用者がライトスイッチＳＷ３をオンすることにより点灯する照明用のライトである。
【００２７】
このように、本実施形態に係るＥＷＳ対応受信機１００は、異なるチャンネルの放送信号を受信する複数のチューナ（通常用チューナ２、ＥＷＳ用チューナ３ａ，３ｂ，３ｃ）と、複数のチューナのそれぞれにおいて、緊急警報放送信号が受信されたことを検出可能な緊急警報検出部（４）と、放送信号を再生する再生部（スピーカ用アンプ７，スピーカ８）と、緊急警報検出部によって緊急警報放送信号の受信が検出されたときに、当該緊急警報放送信号を受信したチューナから出力される緊急警報放送信号を再生部に再生させる制御部（ＭＰＵ６）と、を備える。
【００２８】
これにより、ＥＷＳ対応受信機１００において、通常チューナ２の受信チャンネルを、緊急警報放送を行うチャンネル（ＥＷＳ放送局と称する）以外に設定して、放送を視聴していたり、又は、待機状態にしていたりしても、ＥＷＳ用チューナ４ａ，４ｂ，４ｃの受信チャンネルをＥＷＳ放送局に合わせていれば、緊急警報放送に対応した動作が行われることとなる。すなわち、待機状態となっていた場合は、自動的に待機状態が解除され、緊急警報放送が行われる。
また、ＥＷＳ用チューナ４ａ，４ｂ，４ｃの受信チャンネルをそれぞれ異なるチャンネルに設定することで、緊急警報放送を提供する一放送局が放送困難な状況に陥ったとき（災害、故障、輻輳等）でも、他のＥＷＳ放送局から緊急警報放送が提供されれば、これを受信して再生できるので、冗長性を確保することができる。
【００２９】
また、本実施形態に係るＥＷＳ対応受信機１００は、緊急警報放送信号を記録する記録部（録音／再生回路９）を備えているので、受信した緊急警報放送を自動で録音することができる。したがって、利用者は、放送された緊急警報放送の内容を別途聞きなおして確認することができる。災害等の非常時には混乱が生じ、緊急警報放送の内容をすぐに認識できない場合が予測されるが、このような場合に対応できる。
また、本実施形態に係るＥＷＳ対応受信機１００は、予め救助要請等のメッセージを記録するメッセージ記録部（録音／再生回路９）を有し、緊急警報放送信号を受信した後、所定の時間が経過したときに録音されたメッセージを通知することができるので、災害時に閉じ込められた場合や言葉が通じない場合での救助を求める際の補助として、事前に録音した救助要請用メッセージを再生することができる。
【００３０】
以下、ＥＷＳ対応受信機１００において緊急警報開始信号が検出されたときの動作について、図２〜５を用いて説明する。
図２は、本実施形態に係るＥＷＳ対応受信機１００内で行われる緊急警報放送処理の一例について示したフローチャートである。この緊急警報放送処理は、ＭＰＵ６が緊急警報開始信号を検出したことに伴い、ＲＯＭに格納されている緊急警報放送プログラムを実行することにより実現される。
【００３１】
図２において、ステップＳ１では、ＥＷＳ対応受信機１００が、通常用チューナ２により放送信号を受信している視聴状態であるか否かが判定される。待機スイッチＳＷ１がオフとなっている場合に、視聴状態であると判定される。
ＥＷＳ対応受信機１００が視聴状態となっている場合はステップＳ３へと移行し、視聴状態となっていない場合（すなわち待機状態となっている場合）は待機状態が解除される（ステップＳ２）。待機状態が解除されると、チャンネル切り替え器５からの音声信号がスピーカ用アンプ７へ入力されるようになる。
【００３２】
ステップＳ３では、検出された緊急警報開始信号（第１種開始信号、第２種開始信号等）に基づいて、当該緊急警報放送が試験放送であるか否かが判定される。例えば、検出された緊急警報開始信号が、第１種開始信号、第２種開始信号の何れでもない場合に、試験放送と判定される。そして、緊急警報放送が試験放送である場合は、ステップＳ６へと移行し、試験放送でない場合は、ステップＳ４へと移行する。
【００３３】
ステップＳ４では、検出された緊急警報開始信号が第１種開始信号であるか否かが判定される。そして、第１種開始信号であると判定した場合は、ステップＳ７へと移行し、検出した緊急警報開始信号が第２種開始信号であると判定した場合は、ステップＳ５へと移行する。
【００３４】
ステップＳ５では、第２種緊急警報放送を強制的に放送する設定がなされているか否かが判定される。この設定は、ＥＷＳ対応受信機１００において予め設定されている。例えば、海に面していない内陸部では津波の接近を緊急に知らしめる必要はないため、第２種緊急警報放送については強制的に放送するか否かを利用者が設定できるようにしている。
そして、第２種緊急警報放送を強制的に放送する設定がなされていた場合は、ステップＳ８へと移行し、強制放送を行う設定がなされていなかった場合は、そのまま処理を終了する。
【００３５】
ステップＳ６では、試験放送処理が行われる。以下、図３のフローチャートを用いて、当該処理を説明する。
図３は、ＥＷＳ対応受信機１００が試験放送を受信したときに行われる試験放送処理の一例について示したフローチャートである。
【００３６】
図３において、ステップＳ６１では、試験放送が受信されたことを示す試験放送用ＬＥＤ１２ａが点灯・点滅される。
ステップＳ６２では、利用者により了解スイッチＳＷ２が押下されたか否かが判定される。利用者により了解スイッチＳＷ２が押下された場合は、試験放送用ＬＥＤ１２ａが消灯され（ステップＳ６３）、そのまま処理は終了する。
一方、利用者によりＳＷ２が押下されない場合は、試験放送用ＬＥＤ１２ａの点滅状態は維持され、ステップＳ６２の処理が繰り返される。
つまり、試験放送用ＬＥＤ１２ａは、点灯後了解スイッチＳＷ２が押下されるまで点滅を繰り返す。利用者は、点滅を繰り返す試験放送用ＬＥＤ１２ａをみるだけで、試験放送が受信されたことを簡単に認識することができる。
【００３７】
図２に戻り、ステップＳ７では、第１種緊急放送処理が行われる。以下、図４のフローチャートを用いて、当該処理を説明する。
図４は、ＥＷＳ対応受信機１００が第１種開始信号を受信したときに行われる第１種緊急警報放送処理の一例について示したフローチャートである。
【００３８】
図４において、ステップＳ７１では、第１種緊急警報放送が受信されたことを示す第１種緊急警報放送用ＬＥＤ１２ｂが点灯されるとともに、ライトＬＥＤが点灯される。利用者は、点灯している第１種緊急警報放送用ＬＥＤ１２ｂをみるだけで、第１種緊急警報放送が受信されたことを簡単に認識することができる。
ステップＳ７２では、複数のチューナ（チャンネル）で第１種緊急警報放送が受信されているか否かが判定される。複数のチャンネルで第１種緊急警報放送が受信されていた場合は、次のステップＳ７３へと移行する。一方、一つのチャンネルでのみ第１種緊急警報放送が受信されていた場合は、ステップＳ７４へと移行する。
【００３９】
ステップＳ７３では、第１種緊急警報放送を受信しているチャンネルの中で優先順位の高いチャンネルが設定されているＥＭＳ用チューナ３からの第１種緊急警報放送信号が、スピーカ用アンプ７に出力されるようにチャンネル切り替え器５を制御する。なお、チャンネルの優先順位の設定は、事前の設定による。
ステップＳ７４では、第１種緊急警報放送を受信したチャンネルが設定されているＥＷＳ用チューナ３からの第１種緊急警報放送信号がスピーカ用アンプ７に出力されるようにチャンネル切り替え器５を制御する。
ステップＳ７５では、スピーカ用アンプ７から出力される音声信号のボリュームが、ボリューム切り替え制御８２により、通常ボリューム８３からＥＷＳボリューム８４へと切り替えられる。
【００４０】
ステップＳ７６では、スピーカ８から第１種緊急警報放送が放送される。このとき、第１種緊急警報放送は、大音量で出力されることとなる。これにより、利用者がＥＷＳ対応機１００の近傍にいない場合でも、緊急警報放送がなされたことを認識できる。
ステップＳ７７では、第１種緊急警報放送が録音／再生回路９に記録される。録音再生回路９に記録された第１種緊急警報放送は、利用者が再生スイッチＳＷ５をオンすることにより、再生されることとなる。つまり、利用者は放送された第１種緊急警報放送を確認したいときに再生することができ、放送時に聞き取れなくても再確認することができる。
【００４１】
図２に戻り、ステップＳ８では、第２種緊急放送処理が行われる。以下、図５のフローチャートを用いて、当該処理を説明する。
図５は、ＥＷＳ対応受信機１００が第２種開始信号を受信したときに行われる第２種緊急警報放送処理の一例について示したフローチャートである。
【００４２】
図５において、ステップＳ８１では、第２種緊急警報放送が受信されたことを示す第２種緊急警報放送用ＬＥＤ１２ｃが点灯されるとともに、ライトＬＥＤが点灯される。利用者は、点灯している第２種緊急警報放送用ＬＥＤ１２ｃをみるだけで、第２種緊急警報放送が受信されたことを簡単に認識することができる。
ステップＳ８２では、複数のチューナ（チャンネル）で第２種緊急警報放送が受信されているか否かが判定される。複数のチャンネルで第２種緊急警報放送が受信されていた場合は、次のステップＳ８３へと移行する。一方、一つのチャンネルでのみ第２種緊急警報放送が受信されていた場合は、ステップＳ８４へと移行する。
【００４３】
ステップＳ８３では、第２種緊急警報放送を受信しているチャンネルの中で優先順位の高いチャンネルが設定されているＥＭＳ用チューナ３からの第２種緊急警報放送信号が、スピーカ用アンプ７に出力されるようにチャンネル切り替え器５を制御する。なお、チャンネルの優先順位の設定は、事前の設定による。
ステップＳ８４では、第２種緊急警報放送を受信したチャンネルが設定されているＥＷＳ用チューナ３からの第２種緊急警報放送信号がスピーカ用アンプ７に出力されるようにチャンネル切り替え器５を制御する。
ステップＳ８５では、スピーカ用アンプ７から出力される音声信号のボリュームが、ボリューム切り替え制御８２により、通常ボリューム８３からＥＷＳボリューム８４へと切り替えられる。
【００４４】
ステップＳ８６では、スピーカ８から第２種緊急警報放送が放送される。このとき、第２種緊急警報放送は、大音量で出力されることとなる。これにより、利用者がＥＷＳ対応機１００の近傍にいない場合でも、緊急警報放送がなされたことを認識できる。
ステップＳ８７では、第２種緊急警報放送が録音／再生回路９に記録される。録音再生回路９に記録された第２種緊急警報放送は、利用者が再生スイッチＳＷ５をオンすることにより、再生されることとなる。つまり、利用者は放送された第２種緊急警報放送を確認したいときに再生することができ、放送時に聞き取れなくても再確認することができる。
【００４５】
図２に戻り、ステップＳ９では、救助要請スイッチＳＷ６がオフにされているか否かが判定される。救助要請スイッチＳＷ６がオフにされていた場合は、そのまま処理を終了する。一方、救助要請スイッチＳＷ６がオンにされていた場合は、次のステップＳ１０へと移行する。
【００４６】
ステップＳ１０では、緊急警報放送（第１種緊急警報放送又は第２種緊急警報放送）が放送されてから所定時間が経過したか否かが判定される。所定時間が経過していた場合は、次のステップＳ１１へと移行し、所定時間が経過していなかった場合は、ステップＳ９へと移行する。
【００４７】
ステップＳ１１では、事前に録音されていた救助要請メッセージが再生される。
ステップＳ１２では、救助要請スイッチＳＷ６がオフにされたか否かが判定される。救助要請スイッチＳＷ６がオフにされた場合は、救助要請メッセージの再生を停止し処理を終了する。一方、救助要請スイッチＳＷ６がオンにされたままだった場合は、ステップＳ１１へと移行し、救助要請メッセージが再生され続ける。
このように、事前に録音しておいた救助要請メッセージが、災害等の非常時に自動的に再生されるので、身動きがとれなくなるなど外部との連絡が困難になった場合に、容易に救助を求めることができる。
【００４８】
なお、上述した緊急警報放送処理において、第１種又は第２種緊急警報放送が行われているときに、利用者により了解スイッチＳＷ２が押下されると、第１種緊急警報放送用ＬＥＤ１２ｂ又は第２種緊急警報放送用ＬＥＤ１２ｃが消灯されるとともに、緊急警報放送の再生が停止され、録音が終了される。また、緊急警報放送の終了を示す緊急警報終了信号が検出された場合にも、緊急警報放送は終了されることとなる。
【００４９】
図６は、本実施形態に係るＥＷＳ対応受信機１００がＦＭ放送機によって発信される放送信号（ＥＷＳを含む）を受信している様子について示した説明図である。
図６では、ＥＷＳ対応受信機１００において、通常用チューナ２の受信チャンネルがチャンネルＤに設定され、ＥＷＳ用チューナ３ａ、３ｂ、３ｃの受信チャンネルがチャンネルＡ、Ｂ、Ｃに設定されている場合を示している。また、ＦＭ放送機３００はチャンネルＡに相当する周波数で、ＦＭ放送機３０１はチャンネルＢに相当する周波数で、ＦＭ放送機３０２はチャンネルＣに相当する周波数で、ＦＭ放送機３０３はチャンネルＤに相当する周波数で、それぞれ放送信号を送出している。
【００５０】
ＥＷＳ対応受信機１００は、各チューナにおいて設定されている受信チャンネル（チャンネルＡ、Ｂ、Ｃ、Ｄ）の放送信号を選局して受信する。ＥＷＳ対応受信機１００は、ＦＭ放送機３０１、３０２、３０３から送られてくる放送信号は受信できるが、ＦＭ放送機３００から送られてくる放送信号は障害の発生により受信できなくなっている。
通常時は、チャンネルＤで送出される放送信号が通常用チューナ２で受信され、再生される。一方、災害等の非常時にチャンネルＢ、Ｃで緊急警報放送信号が送出されるとＥＷＳ用チューナ３ｂ、３ｃはこれを受信する。そして、優先順位の高いチャンネルＢが受信チャンネルとして設定されているＥＷＳ用チューナ３ｂからの緊急警報放送信号が再生されることとなる。
【００５１】
このように、本実施形態のＥＷＳ対応受信機１００は、従来技術に係るＥＷＳ対応受信機と異なり、通常用チューナ２の受信チャンネルの他に３つのチャンネル（ＥＷＳ用チューナ３ａ、３ｂ、３ｃの受信チャンネル）を設定することができる。従って、例えば図６のように、受信チャンネルがＥＷＳ放送局以外の局（例えば、チャンネルＤ）に設定されていても、他のＥＷＳ放送局（例えば、チャンネルＢ、Ｃ）を受信チャンネルとして設定しておけば、緊急警報放送を放送することができる。また、災害等により１のＥＷＳ放送局（例えば、チャンネルＡ）が放送不可能な状態に陥ったりしても、他のＥＷＳ放送局（例えば、チャンネルＢ、Ｃ）から送出された緊急警報放送信号を受信し、再生することができる。
【００５２】
以上、本発明に係る実施形態に基づいて具体的に説明したが、本発明は上記実施形態に限定されるものではなく、その要旨を逸脱しない範囲で変更可能である。
【００５３】
例えば、上記実施形態では、緊急警報放送を音声によって出力するＥＷＳ対応受信機（ＥＷＳ対応ラジオ）について説明しているが、例えば、ＥＷＳ対応テレビのように、映像も含めて緊急警報放送を録画、再生することも可能である。
【００５４】
また、上記実施形態では、ＥＷＳチューナ３を３台設置したが、設置台数に特に制限はない。
また、上記実施形態では、ＥＷＳチューナ３を３台設置して、それぞれ異なる放送局にチャンネルを合わせることで、複数チャンネルの放送信号を受信することを可能としているが、１台のＥＷＳチューナ３のチャンネルを常時スキャンさせることにより、複数チャンネルの放送信号を受信する構成としてもよい。
この場合、定期的にチャンネルの変更が行われるため、緊急警報放送の受信が多少遅れる可能性があるが、１台のＥＷＳチューナ３で構成可能なため、コストを抑えることができる。
【図面の簡単な説明】
【００５５】
【図１】本実施形態に係るＥＷＳ対応受信機１００の概略構成を示すブロック図である。
【図２】本実施形態に係るＥＷＳ対応受信機１００内で行われる緊急警報放送処理の一例について示したフローチャートである。
【図３】本実施形態に係るＥＷＳ対応受信機１００が試験信号を受信したときに行われる試験放送処理の一例について示したフローチャートである。
【図４】本実施形態に係るＥＷＳ対応受信機１００が第１種開始信号を受信したときに行われる第１種緊急警報放送処理の一例について示したフローチャートである。
【図５】本実施形態に係るＥＷＳ対応受信機１００が第２種開始信号（津波警報）を受信したときに行われる第２種緊急警報放送処理の一例について示したフローチャートである。
【図６】ＦＭ放送機によって発信される放送波（ＥＷＳを含む）を、本実施形態のＥＷＳ対応受信機が受信する様子について示した説明図である。
【図７】ＦＭ放送機によって発信される放送波（ＥＷＳを含む）を、従来のＥＷＳ対応受信機が受信する様子について示した説明図である。
【符号の説明】
【００５６】
１００  ＥＷＳ対応受信機
１  アンテナ
２  通常用チューナ
３  ＥＷＳチューナ
４  緊急警報検出部
５  チャンネル切り替え器
６  ＭＰＵ
７  スピーカ用アンプ
８  スピーカ
８１  スピーカ制御
８２  ボリューム切り替え制御
８３  通常ボリューム
８４  ＥＷＳボリューム
９  録音／再生回路
１０  マイク
１１  マイク用アンプ
１２  緊急警報放送受信ＬＥＤ
１３  ライトＬＥＤ
【図１】
2009188909.tif 000003
【図２】
2009188909.tif 000004
【図３】
2009188909.tif 000005
【図４】
2009188909.tif 000006
【図５】
2009188909.tif 000007
【図６】
2009188909.tif 000008
【図７】
2009188909.tif 000009